(57)【要約】【課題】積雪により軒樋の屋外側耳部が吊り具の屋外側耳保持部から外れ難い吊り具を提供する。【解決手段】軒先に取り付けられる取付部と、この取付部から屋外側に突設された支持腕と、この支持腕の屋外側端部に設けられ、軒樋の屋外側耳を保持する屋外側耳保持部と、この屋外側耳保持部より屋内側に設けられ、軒樋の屋内側耳を保持する屋内側耳保持部とからなる軒樋吊り具において、係止片は支持腕の先端部に上向きに立設され、かつ該係止片の屋外側面は支持腕の上面から屋内側に斜め上方と屋内側斜め下方向にくの字状に形成され、前記支持腕の屋外側に支持腕の上面から底壁までの高さの１／３〜１／２の長さで、前側壁に当接するよう形成された軒樋支持片から構成されている。また、軒樋挿入ガイド片に立設された落下防止突片が軒樋屋内側耳の開口部寸法よりも大きく形成されている。【選択図】    図１ 
2005314876.tif 000002
【特許請求の範囲】
【請求項１】
係止片（３）は支持腕（１２）の先端部に上向きに立設され、かつ係止片（３）の屋外側面は支持腕（１２）の上面（１２１）から屋内側に斜め上方と屋内側斜め下方向にくの字状に形成され、さらに支持腕（１２）の屋外側に支持腕(１２)の上面(１２１)から底壁（２６）までの高さの１／３〜１／２の長さで、前側壁(２１)に近接するよう形成された軒樋支持片（４）から構成されている吊り具（１）。
【請求項２】
前記吊り具（１）において、軒樋挿入ガイド片（５）に立設された落下防止突片（６）の屋内側耳（２４）の開口部（２７）寸法よりも大きく形成されている請求項１記載の吊り具。
【発明の詳細な説明】
【技術分野】
【０００１】
本発明は、軒樋を軒先に取り付ける吊り具に関する。
【背景技術】
【０００２】
軒樋を軒先に取り付ける吊り具としては種々あるが、その主な吊り具としては、軒先に取り付けられる取付部と、この取付部から屋外側に突出して設けられた支持腕と、この支持腕の屋外側先端に設けられた屋外側耳保持部と、この屋外側耳保持部より屋内側に設けられた屋内側耳保持部とからなる。この吊り具で軒樋を軒先に取り付けるには、取付部を鼻隠し板等の軒先に取り付け、吊り具の屋外側耳保持部と屋内側耳保持部にそれぞれ軒樋の屋外側耳と屋内側耳とを保持させて軒樋を吊り具で軒先に吊り下げる。
【０００３】
冬季に雪が屋根の上に積もりこの積雪が屋根の傾斜に沿って落下し、軒樋や吊り具の上に覆い被さるようになると、吊り具の屋外側耳保持部が下方に下がって、軒樋が吊り具から外れるという問題があった（例えば特許文献１参照）。
【特許文献１】特開平５−２３９８９１号公報
【発明の開示】
【発明が解決しようとする課題】
【０００４】
積雪により軒樋の屋外側耳部が、吊り具の屋外側耳保持部から外れ難い吊り具を提供することである。
【課題を解決するための手段】
【０００５】
軒先に取り付けられる取付部と、この取付部から屋外側に突設された支持腕と、この支持腕の屋外側端部に設けられ、軒樋の屋外側耳を保持する屋外側耳保持部と、この屋外側耳保持部より屋内側に設けられ、軒樋の屋内側耳を保持する屋内側耳保持部とからなる軒樋吊り具において、係止片は支持腕の先端部に上向きに立設され、かつ該係止片の屋外側面は支持腕の上面から屋内側に斜め上方と屋内側斜め下方向にくの字状に形成され、前記支持腕の屋外側に支持腕の上面から底壁までの高さの１／３〜１／２の長さで、前側壁に近接するよう形成された軒樋支持片から構成されている。また、軒樋挿入ガイド片に立設された落下防止突片が軒樋屋内側耳の開口部寸法よりも大きく形成されている吊り具である。
【発明の効果】
【０００６】
積雪により、軒樋の屋外側耳が外れにくい吊り具を得ることができる。
【発明を実施するための最良の形態】
【０００７】
吊り具の材質は、プラスチック建材として従来公知の樹脂を適宜選択して採用でき、例えば、硬質塩化ビニル樹脂、アクリル樹脂、ポリカーボネート樹脂、ＡＥＳ樹脂（アクリロニトリル・エチレン−プロピレンゴム・スチレン樹脂）等やこれらの混合物を含むものを使用できる。
【０００８】
吊り具（１）の取り付け作業の手順を説明すると、先ず、吊り具の取付部（１１）を釘やネジ等を用いて建物に固定する。次に、吊り具の屋外側耳保持部（１３）に軒樋の屋外側耳（２３）の凹溝（２５）を係止させるとともに、屋内側耳保持部（１４）に軒樋の屋内側耳（２４）を係止させる。この場合、軒樋の開口部分を建物に向けて挿入口（２８）を下方に向け、さらに、挿入口（２８）を係止片（３）の上方に配置させた後、軒樋を下方に移動させて係止片（３）を挿入口（２８）から凹溝（２５）内に挿入させる。次に、係止片（３）を凹溝（２５）内に配置させた状態を保たせながら後側壁（２２）の屋内側耳（２４）を吊り具（１）の屋内側耳保持部（１４）に近づけるように軒樋を回動させ、屋内側耳（２４）を吊り具（１）の屋内側耳保持部（１４）に係止させる。
【０００９】
以上で軒樋の取り付け作業を終えるが、吊り具の係止片（３）は上方に立設され、かつ先端部は支持腕（１２）の上面（１２１）から屋内側に斜め上方と屋内側斜め下方向にくの字状に形成されているため、上述のように軒樋を回動させる際に、凹溝（２５）内で係止片（３）が干渉することなくスムーズに回動させることができる。
【００１０】
上述のようにして取り付けた取付状態で、積雪により屋外側耳（２３）に荷重がかかっても、軒樋の屋外側耳の凹溝（２５）に、くの字状に形成されている係止片（３）の係止突部（３１）が近接しており、かつ、凹溝（２５）の近傍から前側壁の下方に伸びている軒樋支持片（４）が、支持腕の屋外側に支持腕の上面（１２１）から底壁（２６）までの高さの１／３〜１／２の長さで、前側壁（２１）に近接するよう形成されているので、係止突部（３１）と軒樋支持片（４）とで前記荷重を支えるので、軒樋の屋外側耳（２３）から前側壁（２１）が大きく変形することがない。
【００１１】
軒樋支持片（４）の長さは、支持腕の上面（１２１）から底壁（２６）までの高さの１／３〜１／２の長さの範囲である。それより小さいと、前側壁が（２１）前記荷重を支えることが出来ない。一方、それより大きいと、吊り具の取付部（１１）を釘やネジ等を用いて建物に固定する際に軒樋支持片（４）が邪魔になる。
【００１２】
軒樋挿入ガイド片（５）に立設された落下防止突片（６）が屋内側耳（２４）の開口部（２７）寸法よりも大きく形成されていると、軒樋の取り付け作業時に軒樋を回動させて吊り具の屋内側耳保持部（１４）に軒樋の屋内側耳（２４）を係止させる際に、落下防止突片（６）が屋内側耳の開口部（２７）に入る恐れがある。
【実施例】
【００１３】
実施例について、図１から図３を参照しつつ詳細に説明する。
【００１４】
（実施例１）本実施例の吊り具（１）は、ポリカーボネート樹脂製で射出成型機を用いて賦形した。軒樋（２）は、硬質塩化ビニル樹脂製で二軸異方向押出機を用いて押出成形により賦形した。軒樋（２）は、開口部１２０ｍｍ、屋外側と屋内側の高さが共に６５ｍｍ、挿入口（２８）は５ｍｍの断面形状が略Ｕ字状型である。くの字状に形成されている係止片（３）の係止突部（３１）の角度は、９０°であり、軒樋支持片（４）は、支持腕（１２）の上面（１２１）から１５ｍｍの長さである。また、落下防止突片（６）は７ｍｍであり、軒樋屋内側耳の開口部（２７）４ｍｍより大きく形成されている。
【図面の簡単な説明】
【００１５】
【図１】実施例１における軒樋と吊り具の接合状態を示す説明図である。
【図２】実施例１における軒樋と吊り具の接合状態を示す前側の説明図である。
【図３】実施例１における軒樋と吊り具の接合状態を示す後側の説明図である。
【符号の説明】
【００１６】
１      吊り具
１１    取付部
１２    支持腕
１２１  上面
１３    屋外側耳保持部
１４    屋内側耳保持部
２      軒樋
２１    前側壁
２２    後側壁
２３    屋外側耳
２４    屋内側耳
２５    凹溝
２６    底壁
２７    開口部
２８    挿入口
３      係止片
３１    係止突部
４      軒樋支持片
５      軒樋挿入ガイド片
６      落下防止突片
【図１】
2005314876.tif 000003
【図２】
2005314876.tif 000004
【図３】
2005314876.tif 000005